(57)【要約】      （修正有）【課題】異なる色のバーコードをスキャン及び読み取ることができる、バーコードリーダを提供する。【解決手段】バーコードを読み取った後、読み取ったバーコードを接続された情報装置のシステムに伝送する多波長バーコードリーダは、主にバーコードリーダに複数組の波長の異なる発光源を設置し、バーコードリーダがバーコードの読み取りまたはスキャンを行うとき、バーコードの色に対応して適合する波長の発光源を提供し、バーコードの読み取りまたはスキャン時の認識率を高める。【選択図】図４
0003157382.tif 000002
【実用新案登録請求の範囲】
【請求項１】
バーコード画像の読み取りに用いる多波長バーコードリーダであって、
チップ型マイクロプロセッサ（Ｍｉｃｒｏｐｒｏｃｅｓｓｏｒ）である駆動ユニットと、
前記駆動ユニットにそれぞれ電気的に接続され、前記駆動ユニットに駆動されて発光する第１光源モジュール及び第２光源モジュールと、
前記駆動ユニットに電気的に接続され、前記駆動ユニットに駆動されて画像のキャプチャを行う画像キャプチャモジュールと、
前記駆動ユニット電気的に接続され、前記駆動ユニットの作動を起動するスイッチと、
前記画像キャプチャモジュールと前記駆動ユニットの間に電気的に接続され、前記画像キャプチャモジュールの画像キャプチャの結果を検知する検知ユニットと、
前記検知ユニットに電気的に接続され、前記画像キャプチャモジュールがキャプチャした画像の結果をデコードしてデータとするデコーダモジュールと、
前記デコーダモジュールに電気的に接続された伝送モジュールと、
を含むことを特徴とする、多波長バーコードリーダ。
【請求項２】
前記駆動ユニットが電源管理機能を備えていることを特徴とする、請求項１に記載の多波長バーコードリーダ。
【請求項３】
前記第１光源モジュール及び前記第２光源モジュールの発する光の波長がそれぞれ異なることを特徴とする、請求項１に記載の多波長バーコードリーダ。
【請求項４】
前記第１光源モジュール及び前記第２光源モジュールがそれぞれ発光ダイオードであることを特徴とする、請求項１に記載の多波長バーコードリーダ。
【請求項５】
さらに第３光源モジュールを増設し、かつ前記第３光源モジュールと前記駆動ユニットが電気的に接続されることを特徴とする、請求項１に記載の多波長バーコードリーダ。
【請求項６】
前記第１光源モジュール及び前記第２光源モジュールのいずれかが赤色光を発することを特徴とする、請求項１に記載の多波長バーコードリーダ。
【請求項７】
前記第１光源モジュール及び前記第２光源モジュールのいずれかが青色光を発することを特徴とする、請求項１に記載の多波長バーコードリーダ。
【請求項８】
前記第１光源モジュール及び前記第２光源モジュールのいずれかが緑色光を発することを特徴とする、請求項１に記載の多波長バーコードリーダ。
【請求項９】
前記第１光源モジュール及び前記第２光源モジュールが上下に排列され、前記多波長バーコードリーダの読取ウィンドウ内部に設置されたことを特徴とする、請求項１に記載の多波長バーコードリーダ。
【請求項１０】
前記第１光源モジュール及び前記第２光源モジュールが横方向に交互に排列され、前記多波長バーコードリーダの読取ウィンドウ内部に設置されたことを特徴とする、請求項１に記載の多波長バーコードリーダ。
【考案の詳細な説明】
【技術分野】
【０００１】
本考案はバーコードを読み取る多波長バーコードリーダに関し、特に、読み取られるバーコードの認識率を高めるために用いる２種類以上の波長の発光源を備えた多波長バーコードリーダに関する。
【背景技術】
【０００２】
図１に従来のバーコードリーダの構成のブロック図を示す。この図に示すように、バーコードスキャナ１０は主に光源モジュール１０１、駆動ユニット１０２、画像キャプチャモジュール１０３、検知ユニット１０４、デコーダモジュール１０５、伝送モジュール１０６、スイッチ１０７から構成される。そのうち、前記光源モジュール１０１は数個のＬＥＤ（Ｌｉｇｈｔ  Ｅｍｉｔｔｉｎｇ  Ｄｉｏｄｅ）から構成され、且つ前記駆動ユニット１０２に電気的に接続される。前記駆動ユニット１０２は前記スイッチ１０７と電気的に接続され、前記スイッチ１０７の作動後、前記駆動ユニット１０２に前記光源モジュール１０１を駆動させて光線を発生させ、光源を形成することができる。前記画像キャプチャモジュール１０３は画像キャプチャの機能を備え、即ち通称ＣＣＤ（Ｃｈａｒｇｅ  Ｃｏｕｐｌｅｄ  Ｄｅｖｉｃｅ）であり、前記検知ユニット１０４と電気的に接続されると共に、前記駆動ユニット１０２とも電気的に接続される。前記検知ユニット１０４は前記画像キャプチャモジュール１０３がバーコードの画像データをうまくキャプチャしたか否かを検知し、該検知ユニット１０４は前記駆動ユニット１０２と電気的に接続され、前記画像キャプチャモジュール１０３がバーコードの画像データをキャプチャできなかった場合、該検知ユニット１０４が前記駆動ユニット１０２に再度前記光源モジュール１０１と前記画像キャプチャモジュール１０３を駆動させ、再度バーコードに対して読み取り（スキャンまたは画像のキャプチャ）を行わせる。前記駆動ユニット１０２が前記光源モジュール１０１を駆動して作動させると、同時に前記画像キャプチャモジュール１０３が駆動されて作動し、バーコード画像をキャプチャする。前記デコーダモジュール１０５は前記画像キャプチャモジュール１０３がキャプチャしたバーコード画像データに対してデコードと認識を行い、バーコードを文字や数字のデータに変換する。前記伝送モジュール１０６は前記バーコードスキャナ１０をさらに情報装置と接続させることができ、前記情報装置は例えばコンピュータとし、デコード後のデータを接続した情報装置上に伝送して表示させることができる。前記伝送モジュール１０６は、ＵＳＢポート（Ｕｎｉｖｅｒｓａｌ  Ｓｅｒｉａｌ  Ｂｕｓユニバーサルシリアルバス）、ＰＳ／２ポート、ＲＳ２３２ポート等のポートを接続端とする。
【０００３】
図２に従来のバーコードスキャンの実施フローチャートを示す。図１と図２を共に参照し、従来のバーコードリーダ１０の作動手順を以下で説明する。
（１）スイッチを入れる１１：使用者がスイッチ１０７を押してバーコードリーダ１０を起動する。
（２）光源を起動する１２：駆動ユニット１０２により光源モジュール１０１と、画像キャプチャモジュール１０３を起動させ、使用者は光源モジュール１０１の発生する光をキャプチャ対象のバーコードに合わせる。
（３）バーコード画像をキャプチャする１３：画像キャプチャモジュール１０３がバーコード画像に対してキャプチャを行う。
（４）検知１４：検知ユニット１０４によりバーコード画像がうまくキャプチャされたか否かを検知する。結果が「はい」（ＹＥＳ）の場合、デコード作業を行う。結果が「いいえ」（ＮＧ）の場合、画像キャプチャモジュール１０３にバーコードのキャプチャを継続させる。
（５）デコード１５：デコーダモジュール１０５がキャプチャの完了したバーコード画像に対してデコードを行い、バーコードを文字や数字のデータに変換する。
（６）伝送１６：伝送モジュール１０６が変換後のデータを情報装置に伝送する。
【０００４】
上述を受けて、従来のバーコードリーダは実施の過程で主に光源モジュール１０１の発する光をバーコード上に照射し、画像キャプチャモジュール１０３でバーコード画像をキャプチャしてデコードした後、バーコード画像を文字や数字のデータに変換している。実務的応用において、市場における大部分の商品のバーコードはパッケージ上に印刷されており、現在よく見受けられるバーコードのほとんどが白地に黒いコードを施した色であるが、現今の商品パッケージは美観と一致性にこだわるため、商品パッケージにバーコードを印刷するとき、赤色、緑色、青色等のその他の色を応用してバーコードのバーコード色とし、外観の一致性と美観を達している。しかしながら、現在販売されているバーコードスキャナが射出する光源は皆単一の赤色光源であり、スキャンするバーコードの下地の色が赤色に近い色であるとき、または赤色光の照射で発生する色のコントラストが比較的低い場合、バーコードリーダの読取不良を容易に発生する。
【考案の概要】
【考案が解決しようとする課題】
【０００５】
上述の問題に鑑みて、本考案の主な目的は、異なる色のバーコードをスキャン及び読み取ることができる、バーコードリーダを提供することにある。
【課題を解決するための手段】
【０００６】
上述の目的を達するため、本考案のバーコードリーダは主に、２つ以上の波長の異なる光源モジュールを備え、各光源モジュールにより例えば赤色、緑色等の異なる波長（色）の光源をそれぞれ発生し、スキャナでバーコードをスキャンするとき、その各光源モジュールが単独でまたは同時に照射を行って異なる色の波長の光源を発生し、色のコントラストの原理を利用して、バーコードをはっきりと表現させ、バーコードの認識率及び読取率を高める。
【図面の簡単な説明】
【０００７】
【図１】従来のバーコードリーダの構成を示すブロック図である。
【図２】従来のバーコードスキャナの実施のフローチャートである。
【図３】本考案の構成を示すブロック図である。
【図４】本考案の実施方法のフローチャートである。
【図５】本考案の最良の実施例１の外観図である。
【図６】本考案の最良の実施例２の外観図である。
【図７】本考案の最良の実施例３の外観図である。
【考案を実施するための形態】
【０００８】
図３に本考案の構成のブロック図を示す。この図に示すように、本考案の多波長バーコードリーダ２０は主に、第１光源モジュール２０１、駆動ユニット２０２、第２光源モジュール２０３、画像キャプチャモジュール２０４、検知ユニット２０５、デコーダモジュール２０６、伝送モジュール２０７、スイッチ２０８から構成される。図に示すように、駆動ユニット２０２はスイッチ２０８と電気的に接続され、即ちスイッチ２０８を操作して駆動ユニット２０２の作動を開始または停止（Ｏｎ／Ｏｆｆ）させることができ、前記駆動ユニット２０２はチップ型マイクロプロセッサ（Ｍｉｃｒｏｐｒｏｃｅｓｓｏｒ）としてもよく、電源管理と関連電子モジュールの作動を駆動する機能を備えている。第１光源モジュール２０１及び第２光源モジュール２０３は駆動ユニット２０２にそれぞれ電気的に接続され、駆動ユニット２０２が必要に応じて前後して、または別々に、或いは同時に第１光モジュール２０１と第２光源モジュール２０３を駆動して発光させる。前記光源モジュール（２０１、２０３）は、発光ダイオードまたはレーザーダイオードから構成され、且つそのうち１つの光源モジュールの光の波長は赤色光、青色光、緑色光のいずれかとする。画像キャプチャモジュール２０４は駆動ユニット２０２に電気的に接続され、駆動ユニット２０２を駆動した後、バーコード画像に対してキャプチャを行い、前記画像キャプチャモジュール２０４はＣＣＤ（Ｃｈａｒｇｅ  Ｃｏｕｐｌｅｄ  Ｄｅｖｉｃｅ）とする。検知ユニット２０５は画像キャプチャモジュール２０４、駆動ユニット２０２とデコーダモジュール２０６の間に電気的に接続され、信号検出機能を備え、主に画像キャプチャモジュール２０４がうまくバーコードをキャプチャしたか否かを検知する。キャプチャ失敗の信号を検出した場合、検知ユニット２０５が駆動ユニット２０２に上述の第１光源モジュール２０１または第２光源モジュール２０３及び画像キャプチャモジュール２０４を再度駆動させる。上述を受けて、デコーダモジュール２０６は、画像キャプチャモジュール２０４がキャプチャしたバーコード画像を文字または数字のデータにデコードする。伝送モジュール２０７はデコーダモジュール２０６に電気的に接続され、主にデコーダモジュール２０６がデコードしたデータを別の情報装置に伝送する。また、前記伝送モジュール２０７は実体ポート（本図には示さない）が接続され、前記実体ポートの伝送規格は、例えばＵＳＢポート（Ｕｎｉｖｅｒｓａｌ  Ｓｅｒｉａｌ  Ｂｕｓ）、ＰＳ／２ポート、ＲＳ２３２ポート等としてもよい。
【０００９】
図４に本考案の実施方法のフローチャートを示す。図３を併せて参照する。図４に示すように、本考案の実施時は、使用者が操作を行い、本考案の多波長バーコードリーダ２０を作動させる。その実施方法の流れは次の通りである。
（１）スイッチを入れる２１：使用者がスイッチ２０８を押して、多波長バーコードリーダ２０が起動される。
（２）第１光源を起動する２２：駆動ユニット２０２が第１光源モジュール２０１を起動して発光させ、使用者は第１光源モジュール２０１の発する光を読み取るバーコード画像に照射する。
（３）バーコード画像をキャプチャする２３：画像キャプチャモジュール２０４でバーコード画像を読み取る（またはキャプチャする、或いはスキャンする）。
（４）検知２４：検知ユニット２０５により画像キャプチャモジュール２０４のバーコード画像に対する読取作業が成功したか否かを検知する。成功した場合、検知ユニット２０５が「ＹＥＳ」を表す信号をデコーダモジュール２０６に出力し、失敗を検知した場合、検知ユニット２０５が「ＮＧ」を表す信号を駆動ユニット２０２に出力する。
（４-１）第２光源を起動する２４１：上述を受け、駆動ユニット２０２が１回目の「ＮＧ」信号を受信すると、続いて第２光源モジュール２０３を起動し、第２光源モジュール２０３を発光させる。このとき、第１光源モジュール２０１の光はオフの状態となり、且つ続いてステップ（３）〜（４）を行う。検知ユニット２０５が２回目の画像キャプチャモジュール２０４読取失敗を検知した場合、検知ユニット２０５が再度「ＮＧ」を表す信号を駆動ユニット２０２に出力する。
（４-２）第２光源を再度起動する２４２：上述を受け、駆動ユニット２０２が２回目の「ＮＧ」信号を受信すると、再度第２光源モジュール２０３を起動し、続いてステップ（２）〜（４）を行う。このとき第１光源モジュール２０１と第２光源モジュール２０３が同時に点灯し、混光状態を形成する。画像キャプチャモジュール２０４が再度バーコード画像の読み取りを行い、やはり成功しない場合、ステップ（２）〜（４-２）を順に再度繰り返して行う。
（５）デコード２５：画像キャプチャモジュール２０４がバーコード画像の読み取りに成功した後、デコーダモジュール２０６が読み取ったバーコード画像を文字や数字のデータに変換する。
（６）伝送２６：伝送モジュール２０７によりデコード後の文字や数字のデータをポートから例えばコンピュータやバーコードリーダの端末機など対応する情報装置に出力する。
【００１０】
上述のように、本考案は主に異なる波長の光源モジュールにより、バーコード画像を読み取るとき、異なる波長の光を提供し、カラーバーコードの読み取りのニーズを満たすものであり、且つ各光源モジュールが光を発する方式は、順に前後して、または同時に点灯させることができる。その利点は、異なる波長の光を前後させて自動的に点灯させたとき、異なる色のバーコードを皆読み取ることができ、且つ同時に点灯させたときは、混光（波長混合）の状態となり、バーコードがカラーであっても、バーコード画像の読み取り率、即ちバーコード認識率を高めることができる。また、各光源モジュールが駆動ユニットにより直接駆動されるため、使用者がスイッチを入れるだけで、自動的に読み取り過程が発生し、且つ読み取り過程は駆動ユニットにより直接各光源モジュールに対して順に、または同時に点灯させる循環式の切り換えが行われ、さらにその実用性が向上されると同時に、認識率を高める効果も達することができる。
【００１１】
図５に本考案の最良の実施例１を示す。併せて図３を参照する。図５に示すように、本考案の第１光源モジュール２０１及び第２光源モジュール２０３は、その実体を多波長バーコードリーダ２０の読取ウィンドウ２０９内部に組み込んでもよく、上下に排列する方式で構成してもよい。図６に本考案の最良の実施例２を示す。図に示すように、第１光源モジュール２０１及び第２光源モジュール２０３は図中のように上下に隣接させて排列してもよい。図７に本考案の最良の実施例３を示す。図に示すように、第１光源モジュール２０１及び第２光源モジュール２０３は図中のように横方向に交互に排列してもよい。また、本考案の各光源モジュールは、波長が相互に異なり、各光源モジュールが異なる色の光を発することができる。例えば第１光源モジュール２０１が赤色光を発生し、第２光源モジュール２０３が青色光を発生するなどとしてもよく、２つの光源モジュールが同時に作動されると、混光効果を形成し、第３の波長の光源を形成することができる。このように、読み取られるバーコード画像がカラーであっても、本考案の多波長バーコードリーダ２０はより良い読み取り効率を形成することができる。さらに、本考案は例えば緑色光など別の波長の第３光モジュールを増加してもよい。
【００１２】
上述をまとめると、本考案の多波長バーコードは読み取りの実施後、確実にカラーバーコード画像の色の違いに対応して読み取り時の光の色を変換でき、バーコードリーダの認識率と実用性を高めることができる。その実施後、異なる色のバーコードのスキャン及び読み取りが可能なバーコードリーダを提供するという目的を確実に達することができる。
【００１３】
以上の説明は本考案の最良の実施例であり、本考案の実施の範囲を限定しない。関連技術を熟知した当業者が本考案の要旨と範囲を逸脱せずに行う同等の変化と修飾はすべて本考案の特許範囲内に含まれる。
【符号の説明】
【００１４】
１０      バーコードスキャナ
１０１    光源モジュール
１０２    駆動ユニット
１０３    画像キャプチャモジュール
１０４    検知ユニット
１０５    デコーダモジュール
１０６    伝送モジュール
１０７    スイッチ
１１      スイッチを入れる
１２      光源を起動する
１３      バーコード画像をキャプチャする
１４      検知
１５      デコード
１６      伝送
２０      多波長バーコードリーダ
２０１    第１光源モジュール
２０２    駆動ユニット
２０３    第２光源モジュール
２０４    画像キャプチャモジュール
２０５    検知ユニット
２０６    デコーダモジュール
２０７    伝送モジュール
２０８    スイッチ
２０９    読取ウィンドウ
２１      スイッチを入れる
２２      第１光源を起動する
２３      バーコード画像をキャプチャする
２４      検知
２４１    第２光源を起動する
２４２    再度第２光源を起動する
２５      デコード
２６      伝送
【図１】
0003157382.tif 000003
【図２】
0003157382.tif 000004
【図３】
0003157382.tif 000005
【図４】
0003157382.tif 000006
【図５】
0003157382.tif 000007
【図６】
0003157382.tif 000008
【図７】
0003157382.tif 000009
【手続補正書】
【提出日】平成21年12月1日(2009.12.1)
【手続補正１】
【補正対象書類名】実用新案登録請求の範囲
【補正対象項目名】請求項１
【補正方法】変更
【補正の内容】
【請求項１】
バーコード画像の読み取りに用いる多波長バーコードリーダであって、
チップ型マイクロプロセッサ（Ｍｉｃｒｏｐｒｏｃｅｓｓｏｒ）である駆動ユニットと、
前記駆動ユニットにそれぞれ電気的に接続され、前記駆動ユニットに駆動されて発光する第１光源モジュール及び第２光源モジュールと、
前記駆動ユニットに電気的に接続され、前記駆動ユニットに駆動されて画像のキャプチャを行う画像キャプチャモジュールと、
前記駆動ユニットに電気的に接続され、前記駆動ユニットの作動を起動するスイッチと、
前記画像キャプチャモジュールと前記駆動ユニットの間に電気的に接続され、前記画像キャプチャモジュールの画像キャプチャの結果を検知する検知ユニットと、
前記検知ユニットに電気的に接続され、前記画像キャプチャモジュールがキャプチャした画像の結果をデコードしてデータとするデコーダモジュールと、
前記デコーダモジュールに電気的に接続された伝送モジュールと、
を含むことを特徴とする、多波長バーコードリーダ。